(57)【要約】【課題】病院に来院する患者にとって、より快適な医用情報システムを提供する。【解決手段】複数個の携帯型情報端末（９）は、病院に訪れる外来患者（１４）に外来期間中貸し与えるために用いられ、携帯型情報端末（９）を介して来訪者に、診療科等の場所の案内を適切に行うための手段（４）と、外来患者（１４）が携帯型情報端末（９）を介して問い合わせを行うための手段（２）を備えている。【選択図】      図１
2004318570.tif 000002
【特許請求の範囲】
【請求項１】
１つ以上のサーバーやデータベースと、１つ以上の無線通信手段が接続されたネットワークと、内部に無線通信手段を内蔵した複数個の携帯型情報端末を備えた医用情報システムにおいて、前記複数個の携帯型情報端末は、病院を訪れる来訪者に来訪期間中貸し与えるために用いられ、携帯型情報端末を介して来訪者に、場所の案内を適切に行うための手段と、来訪者が携帯型情報端末を介して問い合わせを行うための手段を備えていることを特徴とする医用情報システム。
【発明の詳細な説明】
【０００１】
【発明の属する技術分野】
本発明は、病院内の医用情報システムに係り、特に外来で病院に訪れた患者が、快適に病院内での診療や検査、処置を受けられることを可能にした医用情報システムに関する。
【０００２】
【従来の技術】
医用情報システムは従来、医師や看護師，技師等の医療スタッフの病院業務に適用する事が主であり、患者（あるいは見舞等で訪れる来院者）の便宜を図るものでは無い（例えば、特許文献１参照）。
【０００３】
しかしながら、患者等が病院内の医療情報システムを用いる例が少なからず提案されている。その一つとして、無線を用いて携帯端末を持っている患者の位置情報を把握し、行き先を適切に指示するようにしたものがある（例えば、特許文献２参照）。
【０００４】
【特許文献１】
特開２０００−１５５７９６号公報
【特許文献２】
特開平１１−９８５５７号公報
【０００５】
【発明が解決しようとする課題】
しかしながら、特許文献２記載の従来技術は、病院内で患者を携帯端末で誘導するものであるが、自動車に用いられるカーナビゲーションのように、行き先を指定してその場所へ案内するといった基本的な案内しかできず、患者が、複数の診療科、検査室での受診，検査等を行う際には、どこへまず最初に行くべきかといった情報を携帯端末から得られるような配慮はなされていない。
【０００６】
本発明の目的は、病院に来院する患者にとって、より快適な医用情報システムを提供することにある。
【０００７】
【課題を解決するための手段】
本発明の望ましい一実施形態によれば、１つ以上のサーバーやデータベースと、１つ以上の無線通信手段が接続されたネットワークと、内部に無線通信手段を内蔵した複数個の携帯型情報端末を備えた医用情報システムにおいて、前記複数個の携帯型情報端末は、病院を訪れる来訪者に来訪期間中貸し与えるために用いられ、携帯型情報端末を介して来訪者に、場所の案内を適切に行うための手段と、来訪者が携帯型情報端末を介して問い合わせを行うための手段を備えていることを特徴とする医用情報システムが提供される。
【０００８】
本発明の望ましい一実施形態によれば、前記医用情報システムにおいて、ネットワーク上には来訪者を案内するサーバーが接続されていて、前記携帯型情報端末は、前記無線通信手段を介して来訪者を案内するサーバーに接続可能であり、前記来訪者を案内するサーバーは来訪者に対して、前記携帯型情報端末等を介して病院内の案内情報を提示する手段を備えていることを特徴とする前記医用情報システムが提供される。
【０００９】
本発明の望ましい一実施形態によれば、前記医用情報システムにおいて、ネットワーク上には病院内の各診療科での診察の進行状況を記録するデータベースが接続されていて、前記携帯型情報端末は、前記無線通信手段を介して前記各診療科での診察の進行状況を記録するデータベースに接続可能であり、前記各診療科での診察の進行状況を記録するデータベースは来訪者に対して、前記携帯型情報端末等を介して前記来訪者の該診療科で診察を受けるための待ち時間、待ち人数等を提示し、当該患者の順番が来た時には、音，音声，バイブレーション等によって前記携帯型情報端末等を介して前記来訪者に通知する手段を備えていることを特徴とする前記医用情報システムが提供される。
【００１０】
本発明の望ましい一実施形態によれば、前記医用情報システムにおいて、ネットワーク上には病院内の各検査部での検査の進行状況を記録するデータベースが接続されていて、前記携帯型情報端末は、前記無線通信手段を介して前記各検査部での検査の進行状況を記録するデータベースに接続可能であり、前記各検査部での検査の進行状況を記録するデータベースは来訪者に対して、前記携帯型情報端末等を介して前記来訪者の該検査部で検査を受けるための待ち時間、待ち人数等を提示し、当該患者の順番が来た時には、音，音声，バイブレーション等によって前記携帯型情報端末等を介して前記来訪者に通知する手段を備えていることを特徴とする前記医用情報システムが提供される。
【００１１】
本発明の望ましい一実施形態によれば、前記医用情報システムにおいて、前記各診療科での医師のオーダーを管理するオーダリングシステムが接続されていて、前記オーダリングシステムは前記来訪者に対して、医師のオーダー基いて、病院内の各部屋へ適切に誘導する手段を備えていることを特徴とする前記医用情報システムが提供される。
【００１２】
本発明の望ましい一実施形態によれば、前記医用情報システムにおいて、前記携帯型情報端末には、前記携帯型情報端末病院内の来訪者受付にて来訪者に渡される際に、各来訪者に固有のＩＤが設定され、前記病院内の各種受け付けでは、前記各来訪者に固有のＩＤを認証することにより、来訪者が間違いなく来訪者本人であることを確認する手段を備えていることを特徴とする前記医用情報システムが提供される。
【００１３】
本発明の望ましい一実施形態によれば、前記医用情報システムにおいて、ネットワーク上にはナースコールシステムが接続されていて、前記来訪者は体調に不調をきたした時に、必要に応じて持っている前記携帯型情報端末上のスイッチを押す事で、看護婦等の医療スタッフを呼び出す手段を備えていることを特徴とする前記医用情報システムが提供される。
【００１４】
本発明の望ましい一実施形態によれば、前記医用情報システムにおいて、前記携帯型情報端末にジャイロ等の傾斜を計測するセンシング手段を備えていて、一定時間以上、前記携帯型情報端末が横になっていた場合には、当該来訪者が倒れたと判断して、自動的に前記ナースコールシステムにナースコールをする手段を備えていることを特徴とする医用情報システムが提供される。
【００１５】
本発明の望ましい一実施形態によれば、前記医用情報システムにおいて、前記携帯型情報端末に加速度を計測するセンシング手段を備えていて、一定強度以上の加速度を計測した場合には、当該来訪者が倒れたと判断して、自動的に前記ナースコールシステムにナースコールをする手段を備えていることを特徴とする医用情報システムが提供される。
【００１６】
本発明の望ましい一実施形態によれば、前記医用情報システムにおいて、前記携帯型情報端末を来訪者が病院の敷地外へ持ち出した場合には、音，音声，バイブレーション等で当該来訪者に当該携帯型情報端末の返却忘れを指摘し、返却を促す手段を備えていることを特徴とする医用情報システムが提供される。
【００１７】
本発明の望ましい一実施形態によれば、前記携帯型情報端内にＰＨＳ機能を備え、病院外に不正に持ち出された場合には、ＰＨＳの現在位置検出システムにより病院外のどこに運び出されたか追跡する手段を備えていることを特徴とする医用情報システムが提供される。
【００１８】
本発明の望ましい一実施形態によれば、前記携帯型情報端内に電源スイッチを施錠する手段を備えていて、来訪者が誤って携帯型情報端末の電源をＯＦＦにすることを防止することが可能であることを特徴とする医用情報システムが提供される。
【００１９】
【発明の実施の形態】
以下、本発明の実施形態を添付図面に沿って具体的に説明する。
図１に、本発明に係る医用情報システムの全体構成を示す。本発明に係る医用情報システムはネットワーク１を用いたシステムとなっていて、ネットワーク１には無線通信手段２と、後述する携帯型情報端末９を管理する管理サーバー３と、外来患者１４個々に病院内の案内をする案内情報を、無線通信手段２を介して携帯型情報端末９に配信する外来案内サーバー４と、各診療部門１１で医師が各外来患者１４に対して出すオーダー（次にする検査の検査名、投薬の種類と量等）情報を管理するオーダーリングシステム５と、来院した外来患者に関する情報を記録した外来患者情報データベース６と、各診療部門１１での診療の進行状況を記録する診療状況データベース７と、各検査部門１２での検査の進行状況を記録する検査状況データベース８が接続されている。また、ネットワーク１に接続されてはいないが、無線通信手段を内臓した複数個の携帯型情報端末９を具備している。
【００２０】
例えば、上記医用情報システムにおいて、外来患者１４には外来受付１０にて各外来患者１４の基本情報（名前、生年月日等）を設定した携帯型情報端末９が付与される。携帯型情報端末９は、内臓した無線通信手段を用い、ネットワーク１上の無線通信手段２を介してネットワーク１上の各サーバー３，４、システム５、データベース６，７，８にアクセスできる。例えば、外来患者案内サーバー４にアクセスする。すると、外来患者案内サーバー４は、ネットワーク１上の無線通信手段２を介して携帯型情報端末９側に病院内の案内情報が提示される。
【００２１】
同様に携帯型情報端末９は、無線通信手段２を介して診療状況データベース７にアクセスする。すると、診療状況データベース７は携帯型情報端末９側に診療部門１１の各診療科での待ち時間、待ち人数等の診療状況を提示し、例えば携帯型情報端末９を持っている各外来患者１４の診療の順番が来た時には、音，音声，バイブレーションによって通知する。
【００２２】
同様に携帯型情報端末９は、無線通信手段２を介して検査状況データベース８にアクセスする。すると、検査状況データベース８は携帯型情報端末９側に各検査部門１２での待ち時間、待ち人数等の状況を提示し、例えば携帯型情報端末９を持っている各外来患者１４の検査の順番が来た時には、音，音声，バイブレーションによって通知する。
【００２３】
同様に携帯型情報端末９は、無線通信手段２を介してオーダーリングシステム５にアクセスする。すると、オーダーリングシステム５は携帯型情報端末９側に、医師が各外来患者１４に対して出したオーダーを提示し、該オーダーに基いて各外来患者１４を誘導する。
【００２４】
次に図２に、本実施形態の医用情報システムを外来患者１４が利用する場合のフローダイヤグラムを示す。各ステップを順に説明する。ただし以下、本実施形態においてステップＮｏを示すのに、図中ではＳ１，Ｓ２，…と表記する。
（ステップ１）先ず外来患者１４は、外来受付１０にて保険証の提示をし、問診票に容態等を記入する。
（ステップ２）外来受付１０では、外来患者１４の基本情報（姓名，性別，生年月日，住所，連絡先，保険証種別・Ｎｏ．等）のデータセットを作成する。
（ステップ３）更に、（ステップ２）で作成したデータセットを管理サーバー３に登録する。
（ステップ４）管理サーバー３は、（ステップ３）で登録されたデータセットを更に外来患者情報データベース６に登録する。
（ステップ５）すると、外来患者情報データベース６は管理サーバー３に、各外来患者１４にユニークな外来患者ＩＤを発行する。
【００２５】
（ステップ６）管理サーバー３は外来患者ＩＤに対応するアカウントを作成し、外来受付１０に前記外来患者ＩＤを発行する。
（ステップ７）外来受付１０では、未使用の携帯型情報端末９に（ステップ６）で管理サーバー３より発行された外来患者ＩＤを対応づけて設定する。
（ステップ８）更に、（ステップ７）でＩＤの設定がされた携帯型情報端末９を外来患者１４に貸与する。外来患者１４は自分用の携帯型情報端末９を受け取る。
（ステップ９）外来受付１０は、外来患者１４に対応させたＩＤとともに、（ステップ１）で記入した問診票を管理サーバー３へ送る。
（ステップ１０）管理サーバー３では、（ステップ９）で送られてきた問診票をもとに、診療科を決定する。更に診療状況データベース７に、各診療科での診療状況（現在、診療待ちの外来患者１４が何人いるか等）を問い合わせる。
【００２６】
（ステップ１１）診療状況データベース７では、適宜各診療科より各科での診療の進行状況が報告され、データベースが更新されている。診療状況データベース７は、（ステップ１０）で問い合わせられた各診療部門１１での診療状況を管理サーバー３へ通知する。
（ステップ１２）管理サーバー３では、（ステップ１１）で通知された各診療部門１１での診療状況をもとに、外来患者１４の診療順番を決定する。
（ステップ１３）診療順位が決定すると、管理サーバー３は、外来患者１４の持つ帯型情報端末９に、診療科，担当医師，待ち人数，診察予定時刻等を通知する。携帯情報端末９は、管理サーバー３からの着信を受けると、メロディ等で外来患者１４に着信を伝える。仮に、外来患者１４が着信に気付かない場合にも、外来患者１４側から携帯型情報端末９より、管理サーバー３に対して情報要求を送信する事で、診療状況の情報を取得できる。
【００２７】
携帯型情報端末９は、無線通信手段２によってネットワーク１に接続するため、診療の待ち時間には、必ずしも待合室にいる必要は無く、無線通信の範囲内であれば、トイレや売店，食堂等，喫煙所など院内のどこにいても良い。外来患者１４は、院内の施設案内を携帯型情報端末９を用いて、取得できる。
（ステップ１４）例えば、外来患者１４はトイレに行きたくなった場合、携帯型情報端末９より、外来患者案内サーバー４に対して、トイレの検索を依頼する。
（ステップ１５）外来患者案内サーバー４は、管理サーバー３に現在の携帯型情報端末９の位置を要求する。
（ステップ１６）管理サーバー３は、外来患者１４の持つ携帯型情報端末９が現在接続している無線通信手段２のアクセスポイントの情報から、管理サーバー３は、携帯型情報端末９の院内におけるおおよその位置（アクセスポイントの周辺数ｍ以内）を推定し、その位置を外来患者案内サーバー４へ送信する。
【００２８】
（ステップ１７）外来患者案内サーバー４は、外来患者１４の携帯型情報端末９からの要求位置（トイレ）と、管理サーバー３から取得した外来患者１４の現在位置とから、現在の外来患者１４の位置に最も近い（例えば同じフロアの）トイレの位置を検索する。更に、院内のマップから外来患者１４の現在いるフロアの部分を抽出し、現在位置と、目標のトイレをマーキングする。そして、マーキングした院内マップを携帯型情報端末９に送信する。外来患者１４は案内された院内マップに従って、トイレに行くことができる。（上記（ステップ１４）〜（ステップ１７）の手順は１回切りでなくても良い。いわゆるカーナビゲーションのようにリアルタイムに外来患者１４の位置を携帯型情報端末９上の地図に映し出せば、外来患者１４は方向を間違えた場合にもすぐに軌道修正して、目的の位置に行くことができる。）
（ステップ１８）〜（ステップ２１）外来患者１４がのどがかわいたため、自動販売機を探す場合も（ステップ１４）〜（ステップ１７）と同様のプロセスで行うことができる。
【００２９】
（ステップ２２）本システムでは更に、携帯型情報端末９にバーコードや、磁気コードなどを貼り付けておき、自動販売機，売店や食堂の管理端末によって、携帯型情報端末９のコードを読み取る事によって、院内で発生する外来患者１４の会計を、会計部門１３で、まとめて管理し、一括払いにする事が出来る。勿論、携帯型情報端末９にバーコード等を貼るばかりではなく、例えば赤外線通信手段などの至近距離の通信を利用することも出来る。
（ステップ２３）さて、外来患者１４の待ち時間が経過し、診療時間になると、診療部門１１から、診療準備完了の通知が、診療状況データベース７と管理サーバー３に，送られる。
（ステップ２４）管理サーバー３は、診療案内を診療科の地図とともに携帯型情報端末９に送信する。
【００３０】
（ステップ２５）外来患者１４は、診療案内をもとに診療科へ行く。その際道に迷った場合は（ステップ１４）〜（ステップ１７）と同様の手順により再度受診する診療科の位置を探す。送信された院内マップに従って、外来患者１４は目的とする診療科へ行くことができる。
（ステップ２６）診療科では、予め外来患者情報データベース６から、該外来患者１４の患者情報を所得しておく。
（ステップ２７）外来患者１４が診療科に到着した時点で、外来患者１４の持っている携帯型情報端末９に貼付してあるバーコード等を読み取ることにより、（ステップ２６）で所得した患者情報と照合することにより、外来患者１４の取り違いを防止する。
（ステップ２８）診察を行う。
（ステップ２９）診察が終了したら、診療科は、診察終了情報を会計部門１３と管理サーバー３へ送信する。
【００３１】
（ステップ３０）会計部門１３では、診療報酬の計算を行い、更に外来患者１４の支払額を決定する。その際、外来患者１４が自動販売機，売店や食堂で何か購買したものがある場合には、それらの金額を外来患者１４の支払額に加算する。そして、外来患者１４の支払額を管理サーバー３へ通知する。
（ステップ３１）管理サーバー３では、全ての診療が終わった旨、支払額の明細，支払い場所の案内を携帯型情報端末９に送信する。
（ステップ３２）外来患者１４は（ステップ３１）で示された案内に従って会計部門１３にて支払いを済ませ、携帯型情報端末９を返却し、帰宅する。
【００３２】
次に図３に、本実施形態の医用情報システムを用いて、外来患者１４が複数科を受診し、複数の検査を行う場合の、病院の各部門とオーダリングシステム５，診療，検査状況データベース７，８との連携を表すフローダイヤグラムを示す。各ステップを順に説明する。ただし、本実施形態は先ず外来患者１４が外来受付で受付をした後、内科で細菌感染の診療を受け、整形外科で外傷の診療を受け、皮膚科で皮膚状態のケアを受ける例を示す。
（ステップ３３）先ず内科で診療を受け、血液検査が必要となる。内科の医師は血液検査のオーダーを発行し、外来患者１４に血液検査を促す。また、当該外来患者１４の診察は一時中断するので、次の外来患者１４を診療することができるように、診療状況データベース７を更新する。
（ステップ３４）臨床検査部では、血液検査のオーダーを受け取ると、外来患者１４の採血をして、検査を行う。同時に、血液検査が終ると、検査状況データベース８を次の外来患者１４が検査できるように更新する。
【００３３】
（ステップ３５）次に外来患者１４は内科に戻り、（ステップ３４）では検査結果に基く診察をし、薬の処方をする。具体的に医師はオーダリングシステム５に処方オーダーをする。
（ステップ３６）次に外来患者１４は整形外科へ行く。整形外科ではＸ線ＣＴ検査が必要であると判断される。すると、整形外科の医師はＸ線ＣＴ検査のオーダーを発行し、外来患者１４にＸ線ＣＴ検査を促す。また、当該外来患者１４の診察は一時中断するので、次の外来患者１４を診療することができるように、診療状況データベース７を更新する。
（ステップ３７）放射線検査部では、Ｘ線ＣＴ検査のオーダーを受け取ると、外来患者１４のＸ線ＣＴ検査を行う。同時に、Ｘ線ＣＴ検査が終ると、検査状況データベース８を次の外来患者１４が検査できるように更新する。
（ステップ３８）次に外来患者１４は整形外科に戻り、（ステップ３７）でのＸ線ＣＴ検査結果に基く診察をし、薬の処方をする。この時、内科で処方された処方箋オーダーを基に、重複して処方してはいけない薬がないかを確かめつつ、薬を処方する。医師はオーダリングシステム５に処方オーダーをする。
【００３４】
（ステップ３９）次に外来患者１４は皮膚科へ行く。皮膚科では皮膚状態のケア（消毒等）が必要であると判断される。すると、皮膚科の医師は皮膚状態のケアのオーダーを発行し、外来患者１４に消毒等の処置を促す。また、当該外来患者１４の診察は一時中断するので、次の外来患者１４を診療することができるように、診療状況データベース７を更新する。
（ステップ４０）処置室では、消毒等の処置を受け取ると、外来患者１４の皮膚状態のケアを行う。
（ステップ４１）オーダリングシステム５からは、会計部門１３に各科（内科，整形外科、皮膚科）で出されたオーダーが全て集約され通知される。
（ステップ４２）またオーダリングシステム５からは、処方箋発行部門に各科（内科，整形外科）で出された処方箋が全て集約され通知される。
【００３５】
次に図４に、携帯型情報端末９，オーダリングシステム５，各診療，検査部門１２でオーダー等のイベントが発生した場合に、どのように管理サーバー３が連携をとって対処するかを示すフローダイヤグラムを示す。各ステップを順に説明する。
（ステップ４３）先ず、オーダリングシステム５は、オーダー等のイベント発生の際には、管理サーバー３へ通知する。
（ステップ４４）管理サーバー３は、イベントの通知を受け取ると、診療あるいは検査状況データベース７，８へ、現在の診療あるいは検査の状況を問い合せる。
（ステップ４５）そして、現在の診療あるいは検査の状況（待ち人数等）に関する報告を受け、９へ送る。
（ステップ４６）あるいはまた別の例として、診療・検査部門１１，１２で診療終了や検査終了のイベントが発生したとする。すると、診療終了や検査終了のイベントは診療・検査部門１１，１２から直接管理サーバー３へ通知される。
【００３６】
（ステップ４７）すると、管理サーバー３では該外来患者１４が次に行くべき診療・検査部門１１，１２の診療・検査状況（待ち人数等）を問い合わせる。
（ステップ４８）そして、現在の診療あるいは検査の状況（待ち人数等）に関する報告を受け、それに合せて該外来患者１４が次に行くべき診療・検査部門１１，１２の案内を携帯型情報端末９に送信する。
（ステップ４９）例えばまた、診療や検査等を待っている外来患者１４が、待つのにいらだちを感じた場合には、携帯型情報端末９を用いて管理サーバー３に対して、待ち時間を問い合わせる。
（ステップ５０）すると、管理サーバー３では、診療・検査状況データベース７、８にアクセスし、現在の診療・検査状況（進行状況）を問い合わせる。
【００３７】
（ステップ５１）そして、目的とする診療・検査科での診療・検査状況を所得し、残りの待ち人数と平均診察時間から当該外来患者１４の予定診療時刻を算出し、携帯型情報端末９に報告する。
（ステップ５２）例えばまた、携帯型情報端末９を持っている外来患者１４は、持っている携帯型情報端末９を用いて、管理サーバー３にアクセスし、次回診療、検査の予約をも行うことができる。
（ステップ５３）すると、管理サーバー３では予約に関するアクセスを受けると、診療・検査状況データベース７，８にアクセスし、次回（１週間後あるいは２週間後）の予約状況を問い合わせる。
（ステップ５４）そして、診療・検査状況データベース７，８は希望とする日時の予約がとれたかを管理サーバー３に返答し、管理サーバー３は予約がとれた場合には予約案内を携帯型情報端末９に通知し、予約がとれない場合にはその旨を通知し、他の診療・検査が可能な日時があれば再度問い合せるように促す。
【００３８】
以上、図２において、本実施形態の医用情報システムを外来患者１４が利用する場合のフローダイヤグラム、図３において、本実施形態の医用情報システムを用いて、外来患者１４が複数科を受診し、複数の検査を行う場合の、病院の各部門とオーダリングシステム５、診療，検査状況データベース７，８との連携を表すフローダイヤグラム、図４において、本実施形態の医用情報システムにおいて携帯型情報端末９、オーダリングシステム５、各診療，検査部門１２でオーダー等のイベントが発生した場合に、どのように管理サーバー３が連携をとって対処するかを示したが、本実施形態で使用した携帯型情報端末９には、次に示すような機能をも併せ持つことができる。すなわち、外来患者１４が急に体調に不調をきたした場合には、当該外来患者１４は、携帯型情報端末９上のスイッチを押すことにより、看護婦等の医療スタッフを呼び出す機能を備えることもできる。また、携帯型情報端末９内にジャイロ等の傾斜を計測するセンシング手段を設ければ、該携帯型情報端末９が一定時間以上横になっていれば、当該外来患者１４が倒れたと判断し、ナースコールを発呼する機能を備えることもできる。携帯型情報端末９内に該携帯型情報端末９の加速度を計測する手段を設けることによっても、一定以上の加速度を計測した場合にも、当該外来患者１４が倒れたと判断し、同様にナースコールを発呼する機能を備えることもできる。
【００３９】
また、携帯型情報端末９が病院敷地該に返却忘れ等で持ち出された場合には、音，音声，バイブレーション等で当該外来患者１４に返却を促す機能を備えることもできるし、それでも病院外に携帯型情報端末が持ち出された場合には、ＰＨＳ機能を内臓させることによって、ＰＨＳの現在位置検出システムにより、該携帯型情報端末９の病院外での位置を追跡する機能を備えることもできる。
【００４０】
また、外来患者１４が携帯型情報端末９を誤って電源ＯＦＦにして、管理サーバー３側（看護婦等）が外来患者１４の行き先がわからなくなることがないように、外来受付で外来患者１４に携帯型情報端末９を渡す際に、電源スイッチを施錠することで、これを防止する機能を備えることも可能である。
以上実施形態によれば、病院に来院する患者にとって、より快適な医用情報システムを提供すること可能となった。
【００４１】
本発明は上記実施形態に限定されるものではなく、本発明の要旨を逸脱しない範囲で種々に変形して実施できる。例えば、上記実施形態では本医用情報システムを外来患者が利用する場合に例をとって説明したが、これに限定されるものではない。その他に、見舞等で訪れる来院者，入院患者ではあるが、病院内を歩きまわることが許可されている患者等も、本医用情報システムを利用できる。
【００４２】
【発明の効果】
本発明によれば、病院に来院する患者にとって、より快適な医用情報システムを提供することが可能となる。
【図面の簡単な説明】
【図１】本発明に係る医用情報システムの全体構成。
【図２】本実施形態の医用情報システムを外来患者１４が利用する場合のフローダイヤグラム。
【図３】本実施形態の医用情報システムを用いて、外来患者１４が複数科を受診し、複数の検査を行う場合の、病院の各部門とオーダリングシステム５，診療，検査状況データベース７，８との連携を表すフローダイヤグラム。
【図４】携帯型情報端末９、オーダリングシステム５，各診療，検査部門でオーダー等のイベントが発生した場合に、管理サーバー３の対処を示すフローダイヤグラム。
【符号の説明】
１…ネットワーク
２…無線通信手段
３…管理サーバー
４…外来患者案内サーバー
５…オーダーリングシステム
６…外来患者情報データベース
７…診療状況データベース
８…検査状況データベース
９…携帯型情報端末
【図１】
2004318570.tif 000003
【図２】
2004318570.tif 000004
【図３】
2004318570.tif 000005
【図４】
2004318570.tif 000006